(57)【要約】      （修正有）【課題】呼出釦の長押時のみ顔認証処理を行うことにより居住者のみが顔認証をおこない電気錠を解錠することが可能なインターホンシステムを提供する。【解決手段】玄関子機１００と、居室親機２００と、電気錠３００とから構成されるインターホンシステムにおいて、居室親機は、玄関子機で撮像された映像を基に予め登録した人物かを判定する顔認証部２０５を備え、来訪者が玄関子機の呼出釦を押下した所定時間内であれば通常呼出として居室親機に呼び出しをおこない、所定時間を経過した場合には、顔認証部で顔認証をおこなって予め登録した人物であれば電気錠を解錠する制御をおこなう。【選択図】図２
2010074458.tif 000002
【特許請求の範囲】
【請求項１】
玄関先等に設置され、来訪者が居住者を呼び出して通話すると共に前記来訪者を撮像するための玄関子機と、前記玄関子機からの呼び出しに応答して前記来訪者と通話すると共に前記来訪者の映像を出画するための居室親機と、前記居室親機等の操作により解錠される電気錠とから構成されるインターホンシステムにおいて、
前記居室親機は、前記玄関子機で撮像された映像を基に予め登録した人物かを判定する顔認証部を備え、
前記来訪者が前記玄関子機の呼出釦を押下した時間が所定時間内であれば通常呼出として前記居室親機に呼び出しをおこない、所定時間を経過した場合には、前記顔認証部で顔認証をおこなって予め登録した人物であれば前記電気錠を解錠する制御をおこなうことを特徴とするインターホンシステム。
【請求項２】
前記呼出釦の押下時間が所定時間を経過した場合には、前記居室親機で呼び出し報知をおこなわないことを特徴とする請求項１記載のインターホンシステム。
【請求項３】
前記顔認証部で認証した結果、予め登録した人物と一致しない場合には前記居室親機で呼び出しを報知することを特徴とする請求項１又は請求項２記載のインターホンシステム。
【請求項４】
集合住宅のエントランスに設置され、来訪者が居住者を呼び出して通話すると共に前記来訪者を撮像するための集合玄関機と、前記集合玄関機からの呼び出しに応答すると共に前記来訪者の映像を出画するための居室親機と、前記集合玄関機、前記居室親機を制御する制御機と、前記居室親機等の操作により解錠されるオートドアとから構成される集合住宅インターホンシステムであって、
前記制御機は、前記集合玄関機で撮像された映像を基に予め登録した人物かを判定する顔認証部を備え、
前記来訪者が前記集合玄関機で部屋番号を入力後に呼出釦を押下したとき、当該押下時間が所定時間内であれば通常呼出として前記居室親機に呼び出しをおこない、所定時間を経過した場合には、前記顔認証部で顔認証をおこなって予め登録した人物であれば前記オートドアを解錠する制御をおこなうことを特徴とするインターホンシステム。
【請求項５】
集合住宅のエントランスに設置され、来訪者が居住者を呼び出して通話すると共に前記来訪者を撮像するための集合玄関機と、前記集合玄関機からの呼び出しに応答すると共に前記来訪者の映像を出画するための居室親機と、前記集合玄関機、前記居室親機を制御する制御機と、前記居室親機等の操作により解錠されるオートドアとから構成される集合住宅インターホンシステムであって、
前記制御機は、前記集合玄関機で撮像された映像を基に予め登録した人物かを判定する顔認証部を備え、
前記集合玄関機において呼出釦のみを押下したとき、当該押下時間が所定時間を経過した場合には、前記顔認証部で顔認証をおこなって予め登録した人物であれば前記オートドアを解錠する制御をおこなうことを特徴とするインターホンシステム。
【発明の詳細な説明】
【技術分野】
【０００１】
本発明はインターホンシステムに係り、特に玄関子機からの呼出時に操作者が呼出釦を長押しすることで顔認証処理を行うこととしたインターホンシステムに関する。
【背景技術】
【０００２】
従来のインターホンシステムは、玄関子機で呼び出しをすると予め登録された人物であるかを顔認証にて確認し、一致すれば電気錠を解錠するなど利便性、セキュリティ性が向上するものであった。（例えば特許文献１）。
【特許文献１】特開２００６−１０１１９９号公報
【発明の開示】
【発明が解決しようとする課題】
【０００３】
しかしながら従来のインターホンシステムでは、呼出後に毎回顔認証処理をおこなっているので処理時間分呼出がかかるまで遅延してしまう。
また、電気錠が連動しているシステムにおいて、呼出後に顔認証が万一誤認識して解錠してしまう恐れが有る。
本発明は、上記の難点を解決するためになされたもので、呼出釦の長押時のみ顔認証処理を行うことにより居住者のみが顔認証をおこない電気錠を解錠することが可能なインターホンシステムを提供することを目的としている。
【課題を解決するための手段】
【０００４】
本発明によるインターホンシステムは、玄関先等に設置され、来訪者が居住者を呼び出して通話すると共に来訪者を撮像するための玄関子機と、玄関子機からの呼び出しに応答して来訪者と通話すると共に来訪者の映像を出画するための居室親機と、居室親機等の操作により解錠される電気錠とから構成されるインターホンシステムにおいて、居室親機は、玄関子機で撮像された映像を基に予め登録した人物かを判定する顔認証部を備え、来訪者が玄関子機の呼出釦を押下した時間が所定時間内であれば通常呼出として居室親機に呼び出しをおこない、所定時間を経過した場合には、顔認証部で顔認証をおこなって予め登録した人物であれば電気錠を解錠する制御をおこなうことを特徴とする。
また、本発明によるインターホンシステムは、請求項１の発明において、呼出釦の押下時間が所定時間を経過した場合には、居室親機で呼び出し報知をおこなわないことを特徴とする請求項１記載のインターホンシステム。
【０００５】
さらに、本発明によるインターホンシステムは、請求項１又は請求項２の発明において、顔認証部で認証した結果、予め登録した人物と一致しない場合には居室親機で呼び出しを報知することを特徴とする。
【０００６】
本発明によるインターホンシステムは、集合住宅のエントランスに設置され、来訪者が居住者を呼び出して通話すると共に来訪者を撮像するための集合玄関機と、集合玄関機からの呼び出しに応答すると共に来訪者の映像を出画するための居室親機と、集合玄関機、居室親機を制御する制御機と、居室親機等の操作により解錠されるオートドアとから構成される集合住宅インターホンシステムであって、制御機は、集合玄関機で撮像された映像を基に予め登録した人物かを判定する顔認証部を備え、来訪者が集合玄関機で部屋番号を入力後に呼出釦を押下したとき、当該押下時間が所定時間内であれば通常呼出として居室親機に呼び出しをおこない、所定時間を経過した場合には、顔認証部で顔認証をおこなって予め登録した人物であればオートドアを解錠する制御をおこなうことを特徴とする。
【０００７】
本発明によるインターホンシステムは、集合住宅のエントランスに設置され、来訪者が居住者を呼び出して通話すると共に来訪者を撮像するための集合玄関機と、集合玄関機からの呼び出しに応答すると共に来訪者の映像を出画するための居室親機と、集合玄関機、居室親機を制御する制御機と、居室親機等の操作により解錠されるオートドアとから構成される集合住宅インターホンシステムであって、制御機は、集合玄関機で撮像された映像を基に予め登録した人物かを判定する顔認証部を備え、集合玄関機において呼出釦のみを押下したとき、所定時間を経過した場合には、顔認証部で顔認証をおこなって予め登録した人物であればオートドアを解錠する制御をおこなうことを特徴とする。
【発明の効果】
【０００８】
本発明による請求項１の発明によれば、呼出釦の押下時間が所定時間よりも短いときは顔認証処理を行わず、すぐに呼出音鳴動の呼出処理を行うことにより、顔認証処理による呼出遅延を無くすことができる。
また、呼出釦の押下時間が所定時間よりも短いときは顔認証処理を行わない為、呼出の度に顔認証処理を行うことによる万一の誤認証による誤解錠を防ぐことができる。
さらに、呼出釦の押下時間が所定時間よりも短いときは顔認証処理を行わない為、呼出の度に顔認証処理を行うことにより顔を登録した家人が呼出釦を押下する度に解錠してしまうことを防ぎ、室内の家人を呼出すことができる。
【０００９】
本発明による請求項２の発明によれば、呼出釦の押下時間が、所定時間よりも長いときは顔認証処理を行うため、顔を登録した家人の帰宅時に不要に居室親機で呼出音を鳴動することが無く、室内の家人を呼出音で邪魔をしない。
【００１０】
本発明による請求項３の発明によれば、顔認証処理を行い、登録した家人を認証できなかったときも、呼出音を鳴動させることにより、室内の家人に帰宅を通知することができる。
また、訪問者が呼出釦を長押ししてしまったときも、呼出音が鳴動するので家人に来客を知らせることができる。
【００１１】
また、本発明による請求項４の発明によれば、集合住宅において呼出釦の押下時間が所定時間よりも長いときは顔認証処理を行うため、顔を登録した家人の帰宅時に不要に居室親機で呼出音を鳴動することが無く、室内の家人を呼出音で邪魔をしない。
【００１２】
本発明による請求項５の発明によれば、集合住宅において、部屋番号の入力することなく呼出釦の長押しで顔認証して解錠出来るため、操作を簡便化することができる。
【発明を実施するための最良の形態】
【００１３】
以下、本発明のインターホンシステムを適用した最良の実施の形態例について、図面を参照して説明する。
【００１４】
図１は、本発明のインターホンシステムの構成を示すシステム説明図ならびに回路構成図である。
玄関先等に設置され、来訪者が居住者を呼び出して通話すると共に来訪者を撮像するための玄関子機１００と、玄関子機１００からの呼び出しに応答して来訪者と通話すると共に来訪者の映像を出画するための居室親機２００と、居室親機２００等の操作により解錠される電気錠３００とから構成されている。
【００１５】
また、図２のブロック図に示すように、玄関子機１００は、来訪者を撮像するための撮像部１０１、来訪者が居住者を呼び出すための呼出釦１０２、居住者と通話するためのスピーカ１０３、マイク１０４、通話部１０６、各回路を制御する制御部１０５、居室親機２００と通信するための通信部１０７からなる。
【００１６】
さらに、居室親機２００は、玄関子機１００と通信するための通信部２０１、玄関子機１００からの画像を処理する画像処理部２０２、予め顔画像を登録するための顔認証用記憶部２０３、各回路を制御する制御部２０４、制御部２０４には、顔認証部２０５、呼出音生成部２０６を有し、また、来訪者と通話するための通話部２０７、スピーカ２１０、マイク２１１、電気錠３００と通信するための電気錠通信部２１２、玄関子機１００で撮像した画像を出画する表示部２０８、各種操作をおこなう操作部２０９とから構成されている。
【００１７】
電気錠３００は、居室親機２００と通信するための通信部３０３、錠を駆動する駆動部３０１、各回路を制御する制御部３０２から構成されている。
玄関子機１００と居室親機２００は通信線１０００で接続され、居室親機２００と電気錠３００は通信線３０００で接続されている。
【００１８】
このように構成されたインターホンシステムにおいて、以下、動作を説明する。
居住者が、玄関子機１００の呼出釦１０２を押下すると、その押下時間が制御部１０５で計測される。当該押下時間が予め定められた所定時間（例えば３秒）を経過すると、居室親機２００に対して顔認証処理要求信号を送付すると共に撮像部１０１で撮像された居住者の顔画像が、通信部１０７より通信線１０００を通して居室親機２００の通信部２０１を介して制御部２０４と画像処理部２０２へ伝送される。
居室親機２００の制御部２０４は顔認証部２０５で画像処理部２０２に伝送されてきた居住者の顔画像情報と、顔認証用記憶部２０３の登録情報を比較する。
【００１９】
顔認証部２０５で比較された顔画像情報が登録情報と一致したときは、制御部２０４は解錠信号を電気錠通信部２１２より通信線３０００を通して電気錠３００の通信部３０３を介して制御部３０２へ伝送される。
電気錠３００の制御部３０２は、解錠信号を受信すると駆動部３０１を駆動して電気錠の解錠を行う。
【００２０】
また、上記において、押下時間が所定時間経過する前に終了すると、呼出信号と共に撮像部１０１で撮像された画像を通信部１０７より通信線１０００を通して居室親機２００の通信部２０１を介してそれぞれ制御部２０４と画像処理部２０２へ伝送される。
居室親機２００の制御部２０４は表示部２０８に居住者の画像を表示すると共に呼出音生成部２０６で生成された呼出音を通話部２０７を介してスピーカ２１０から報知する。
【００２１】
なお、比較された顔画像情報が登録情報と一致しなかったときは、居室親機２００の制御部２０４は表示部２０８に画像を表示すると共に、呼出音生成部２０６で生成された呼出音を通話部２０７を介してスピーカ２１０から報知する。
居住者ではなく、第三者（来訪者）が呼出釦１０２を操作するときには、通常、所定時間経過する前に元の状態に戻す（呼出釦を離す）ので、顔認証がおこなわれることはなく通常の呼出報知がおこなわれることとなる。
【００２２】
次に第２の実施例として集合住宅に適用したインターホンシステムについて説明する。
図３に示すように、本発明によるインターホンシステムは、集合住宅のエントランスに設置され、来訪者が居住者を呼び出して通話すると共に来訪者を撮像するための集合玄関機８００と、集合玄関機８００からの呼び出しに応答すると共に来訪者の映像を出画するための居室親機４００と、集合玄関機８００、居室親機４００を制御する制御機７００と、居室親機４００等の操作により解錠されるオートドア（電気錠）３００、居住者や来訪者が使用するエレベータ６００、管理人室に設置され、管理人と居住者又は来訪者が通話するための管理室親機５００とから構成される。
【００２３】
また、図４に示すように、集合玄関機８００は、来訪者を撮像するための撮像部８０１、来訪者が居住者を呼び出すための呼出釦８０２、居住者と通話するためのスピーカ８０３、マイク８０４、通話部８０６、各回路を制御する制御部８０５、居室親機２００と通信するための通信部８０７、部屋番号を入力するテンキー等からなる部屋番号入力部８０８とを有する。
【００２４】
さらに、制御機７００は、集合玄関機８００と通信するための集玄通信部７０１、集合玄関機８００からの画像を処理する画像処理部７０２、予め顔画像を登録するための顔認証用記憶部７０３、各回路を制御する制御部７０４、制御部７０４には、顔認証部７０５、呼出音／ガイダンス生成部７０６を有し、また、居室親機４００と通信するための親機通信部７１３、エレベータ６００を連動制御するためのエレベータ連動Ｉ/Ｆ部７１４、管理室親機５００と通信するための管親通信部７１５とを有する。
【００２５】
居室親機４００は、制御機７００と通信するための通信部４０１、制御機７００から送信された画像を処理する画像処理部４０２、各回路を制御する制御部４０４、制御部４０４には、呼出音生成部４０６を有し、また、来訪者と通話するための通話部４０７、スピーカ４１０、マイク４１１、各種操作をおこなう操作部４０９とから構成されている。
【００２６】
オートドア３００は、制御機７００と通信するための通信部３０３、錠を駆動する駆動部３０１、各回路を制御する制御部３０２から構成されている。
【００２７】
集合玄関機８００と制御機７００は通信線８０００で接続され、制御機７００と居室親機４００は、通信線４０００で接続され、制御機７００とエレベータ６００、管理室親機５００はそれぞれ通信線６０００、５０００で接続され、さらに、制御機７００とオートドア３００は通信線３０００で接続されている。
【００２８】
このように構成されたインターホンシステムにおいて、以下、動作を説明する。
居住者が、集合玄関機８００の部屋番号入力部８０８で部屋番号を入力した後、呼出釦８０２を押下すると、その押下時間が制御部８０５で計測される。当該押下時間が予め定められた所定時間（例えば３秒）を経過すると、制御機７００に対して顔認証処理要求信号を送付すると共に撮像部８０１で撮像された居住者の顔画像が、通信部８０７より通信線８０００を通して制御機７００の通信部７０１を介して制御部７０４と画像処理部７０２へ伝送される。
【００２９】
制御機７００の制御部７０４は顔認証部７０５で画像処理部７０２に伝送されてきた居住者の顔画像情報と、顔認証用記憶部７０３の登録情報を比較する。
顔認証部７０５で比較された顔画像情報が登録情報と一致したときは、制御部７０４は解錠信号を電気錠通信部７１２より通信線３０００を通してオートドア３００の通信部３０３を介して制御部３０２へ伝送される。
オートドア３００の制御部３０２は、解錠信号を受信すると駆動部３０１を駆動してオートドアの解錠を行う。
【００３０】
また、上記において、押下時間が所定時間経過する前に終了すると、呼出信号と共に撮像部８０１で撮像された画像を通信部８０７より通信線８０００を通して制御機７００の集玄通信部７０１、制御部７０４、親機通信部７１３、通信線４０００を介して居室親機４００へ送信される。居室親機４００では、通信部４０１を介してそれぞれ制御部４０４と画像処理部４０２へ伝送されて表示部４０８に居住者の画像を表示すると共に呼出音生成部４０６で生成された呼出音を通話部４０７を介してスピーカ４１０から報知する。
【００３１】
なお、比較された顔画像情報が登録情報と一致しなかったときは、居室親機４００の制御部４０４は表示部４０８に画像を表示すると共に、呼出音生成部４０６で生成された呼出音を通話部４０７を介してスピーカ４１０から報知する。
居住者ではなく、第三者（来訪者）が呼出釦８０２を操作するときには、通常、所定時間経過する前に元の状態に戻す（呼出釦を離す）ので、顔認証がおこなわれることはなく通常の呼出報知がおこなわれることとなる。
【００３２】
また、上記実施例においては、部屋番号入力部８０８で部屋番号を入力した後に呼出釦８０２を操作することで所定時間以上押下していたときには顔認証するようにしているが、部屋番号入力部８０８の操作を省略して呼出釦８０２のみを操作したときに所定時間以上押下していたときには顔認証をするようにしても好適である。
【００３３】
また、本実施例には、エレベータ６００も制御可能となっており、顔認証した結果、一致していれば、エレベータ６００をエントランスの階に自動的に呼び出す等の制御をおこなってもよい。
【００３４】
さらに本実施例には、管理室親機５００も接続されており、顔認証に失敗したとき等に自動的に管理室親機５００を呼び出すことも可能である。
【図面の簡単な説明】
【００３５】
【図１】本発明に係るインターホンシステムのシステム構成図。
【図２】本発明に係るインターホンシステムのブロック図。
【図３】本発明に係る他の実施例のインターホンシステムのシステム構成図。
【図４】本発明に係る他の実施例のインターホンシステムのブロック図。
【符号の説明】
【００３６】
１００・・・玄関子機
１０１・・・撮像部
１０２・・・呼出釦
２００・・・居室親機
２０４・・・制御部
２０５・・・顔認証部
３００・・・電気錠
【図１】
2010074458.tif 000003
【図２】
2010074458.tif 000004
【図３】
2010074458.tif 000005
【図４】
2010074458.tif 000006